(57)【特許請求の範囲】
【請求項１】
原水を貯蔵するボトルと、前記ボトルの首部を挿入可能な凹部を有する飲水器本体からなる飲水器に、着脱可能な浄水器であって、前記凹部の底部に配され、前記ボトル内部に挿入可能な突起状部の内部に濾過フィルターを有する浄水器。
【請求項２】
濾過フィルターに中空糸膜を使用したことを特徴とする請求項１記載の浄水器。
【請求項３】
中空糸膜が親水性中空糸膜である請求項２記載の浄水器。
【請求項４】
濾過フィルターに、水は通さないが、空気を通す部材を設けた請求項１記載の浄水器。
【請求項５】
水は通さないが、空気を通す部材が、疎水性中空糸膜である請求項４記載の浄水器。
【請求項６】
加圧又は吸引装置を備えた請求項１記載の浄水器。
【発明の詳細な説明】
【技術分野】
【０００１】  この発明は、飲水器への着脱可能な浄水器に関するものである。
本願は、２００４年５月１８に出願された特願２００４−１４８３１３号に基づき優先権を主張し、その内容をここに援用する。
【背景技術】
【０００２】  従来から家庭やオフィス等へ設置型の飲水器が知られている。この飲水器は、本体上部に比較的容量の大きいボトル等を接続し、ボトルに貯えられているボトル水をそのまま飲用水として本体前面より配水するものである。
配水に際し、通常は冷却装置やヒーターを内蔵し、常温水、冷水及び加熱温水を自重あるいはポンプやモータを使用して配水するようになっている。
また、単に浄化された水を得るものとしては、少量の浄水であれば容易に得ることができる携帯型の小型浄水器が知られている（例えば、特許文献１参照。）。
【特許文献１】特開２００２−３２０９６７号公報
【発明の開示】
【発明が解決しようとする課題】
【０００３】  しかしながら、このような従来の飲水器にあっては、本体上部に接続し、原水を貯蔵、供給するボトルが、家庭やオフィスで使用される用途上、１０Ｌ以上の容量であることが多い。汎用である１９Ｌ容量ボトルを３人家庭で使用した場合、次の交換までに１週間以上放置されることが多く、ボトル内の飲用水に雑菌等が繁殖する場合があり、衛生的に問題があった。
またボトル容量が大きい事から、飲水器へのボトル着脱を容易にするため、ボトル先端の飲水器への接合部は、単に嵌め込むだけで、シール材を使用していない場合が殆どである。このため、このボトルの接合部より雑菌等が入り込むことがあり、やはり衛生的に問題があった。
これに対して、携帯型・ピッチャー型の小型の浄水器を用いることも可能であるが、このような浄水器により得られた浄水を家庭内で様々なものに用いようとするとその容量に限界がある。このため、大型でなおかつ衛生的で安全な飲用水を供給可能な飲水器が要望されている。【０００４】  そこで、この発明は、飲水器に容易に着脱でき、ボトル水を浄化する濾過フィルターを内蔵した浄水器を提供するものである。
【課題を解決するための手段】
【０００５】  上記課題を解決するために、本発明の第１の態様に係る浄水器は、原水を貯蔵するボトル（２）と、前記ボトル（２）の首部（７）を挿入可能な凹部（５）を有する飲水器本体（１）からなる飲水器（０）に着脱可能な浄水器であって、前記凹部（５）と前記首部（７）との間に配されることを特徴とする。【０００６】  本発明の第２の態様に係る浄水器は、前記凹部（１２）の底部に配され、前記ボトル（２）の内部に挿入可能な突起状部（１４）と、飲水器本体（１）の凹部（５）に挿入可能な首部（１１）とを有し、且つ、原水を貯蔵するボトル（２）の首部（７）と飲水器本体（１）の凹部（５）の底部に配された突起状部（６）とを連通させる水路（１８）の途中に、濾過フィルター（１３）を有する第１の態様を備えた浄水器である。【０００７】  本発明の第３の態様に係る浄水器は、原水を貯蔵するボトル（２）と、前記ボトル（２）の首部（７）を挿入可能な凹部（５）を有する飲水器本体（１）からなる飲水器（０）に、着脱可能な浄水器であって、前記凹部（５）の底部に配され、前記ボトル（２）内部に挿入可能な突起状部（６）の内部に濾過フィルター（１３）を有する。【０００８】  本発明の第４の態様に係る浄水器は、原水を貯蔵するボトルの首部を挿入可能な凹部を有する、飲水器と着脱可能な浄水器であって、原水を貯蔵するボトルの首部と浄水器本体の凹部の底部に配された突起状部とを連通させ飲水器に至る水路の途中に、濾過フィルターを有する。【０００９】  本発明の第５の態様に係る浄水器は、濾過フィルター（１３）に中空糸膜（２０）を使用したことを特徴とする第２〜４の態様を備えた浄水器である。【００１０】  本発明の第６の態様に係る浄水器は、中空糸膜（２０）が親水性中空糸膜である第５の態様を備えた浄水器である。【００１１】  本発明の第７の態様に係る浄水器は、濾過フィルター（１３）に、水は通さないが、空気を通す部材（２７）を設けた第２〜６の態様を備えた浄水器である。【００１２】  本発明の第８の態様に係る浄水器は、水は通さないが、空気を通す部材（２７）が、疎水性中空糸膜である第７の態様を備えた浄水器である。【００１３】  本発明の第９の態様に係る浄水器は、加圧又は吸引装置を備えた第１〜８の態様を備えた浄水器である。
【発明の効果】
【００１４】  本願発明によれば、従来の飲水器に容易に浄水機能を付加することができるため、衛生的で安全な飲用水を、多量にかつ容易に得ることができる。
また、着脱自在に接続可能としたことで、簡単に交換を行うことが可能である。
また、中空糸膜を使用することにより細菌や微粒子をカットでき、より衛生的な飲用水を得ることができ、さらに、空気取り込みのために疎水性中空糸を混在させることにより、自重濾過でも中空糸膜の圧損による流量低下を押さえることができ、短時間で十分な濾過量を確保することができる。
【図面の簡単な説明】
【００１５】［図１］この発明の第一の実施の形態の模式図である。
［図２］この発明の第一の実施の形態の内部構造を示す図である。
［図３］この発明の第一の実施の形態の濾過フィルター部分の内部構造を示す図である。
［図４］この発明の第一の実施の形態のこの発明の第一の実施の形態の濾過フィルター部分の内部構造を示す図である。
［図５］この発明の第一の実施の形態の濾過フィルター部分の内部構造を示す図である。
［図６］この発明の第二の実施の形態の内部構造を示す図である。
［図７］この発明の第二の実施の形態の内部構造を示す図である。
［図８］この発明の第二の実施の形態の内部構造を示す図である。
［図９］この発明の第二の実施の形態の内部構造を示す図である。
［図１０］この発明の第三の実施の形態を示す一例図である。
［図１１］この発明の第三の実施の形態を示す一例図である。
【符号の説明】
【００１６】１  飲水器
２  ボトル
３  ケーシング
４  ボトル支持台
５  凹部
６  突起状部
７  首部
８  嵌合孔
９  原水導入口孔
１０  浄水器本体
１１  首部
１２  凹部
１３  濾過フィルター
１４  突起状部
１５  ボトル支持部
１６  送水口
１７  メインケース
１８  水路
１９  原水導入口孔
２０  中空糸膜
２１  樹脂層
２２  吸着材
２３  フィルター
２４  浄水器本体
２５  原水導入口孔
２６  原水
２７  部材
２８  浄水器本体
【発明を実施するための最良の形態】
【００１７】  以下、この発明の第一の実施の形態を図１から図５に基づいて説明する。
飲水器本体１は４つのコーナー部分にゴム製のクッションを備えた角型形状をしたケーシング３を備えており、内部には冷却装置やヒーター、或いはペルチェ素子などを内蔵し、ボトル水を常温水・冷水及び加熱温水として、自重或いはポンプなどを使用して配水出来るようになっている。このケーシング３の上部には、ボトル２を把持するためのすり鉢状の形状のボトル支持台４が設けられ、その中心部には、ボトル２の首部７を挿入可能な円筒状の凹部５が設けられている。
一方、ボトル２には、飲水器１の凹部５に挿入可能な円筒状の首部７が設けられている。飲水器１側の凹部５の底部には、ボトル２の内部に挿入可能な導水路を兼ねた突起状部６が配されている。突起状部６は、内部が中空であり、先端部の側面にはボトル２からの原水を導入するためのボトル水導入口孔９が１個以上設けられている。
また、ボトル２側の首部７の中心には、飲水器１側の凹部５に配された突起状部６に嵌合するように、嵌合孔８が設けられている。ボトル２未使用時、いわゆる満水時には、この嵌合孔８は、ボトル２の内側より図示しない栓によって閉栓されている。
飲水器１とボトル２を接続すると、突起状部６が嵌合孔８に挿入され、未使用時ボトル２の図示していない栓を開栓し、ボトル水導入口孔９よりボトル２内部の原水が導入され、中空状の突起状部６の内部を通して、飲水器１の内部にボトル２の原水が導入される。【００１８】  浄水フィルター装置１０は、図１から図２に示すように、飲水器１の凹部５とボトル２首部７の間に装着するもので、飲水器１の凹部５に挿入可能な円筒状の浄水器首部１１と、ボトル２の首部７を挿入可能とする円筒状の浄水器凹部１２とからなる。浄水器凹部１２の底部には、ボトル２の首部７と連通する突起状部１４が設けられており、この突起状部１４の周囲には原水２６を導入する原水導入口孔１９を備えている。浄水器首部１１には、送水口１６が設けられており、飲水器本体１の突起状部６と連通する。このように浄水器本体１０を間に置いて、ボトル２と飲水器本体１を連通させる。
また、浄水器本体１０は、原水と浄水の流路となる水路１８と、ボトル支持部１５を有したメインケース１７からなる。【００１９】  また、浄水器本体１０とボトル支持台４を一体化させた支持台付浄水フィルター装置とすることもできる。この場合、飲水器本体１に取付けてあるボトル支持台４のみ、或いはボトル支持台４と凹部５の両方を取り外し、支持台付浄水フィルター装置を取付ける。ボトル支持台が取付けられている形態が異なる場合でも、図示しないアダプターを取付けることにより対応できる。【００２０】  また、浄水器本体１０は、図２に示すように、突起状部１４より導入したボトル２内部の原水２６を浄化する濾過フィルター１３を、首部７より飲水器本体１へ送水する途中に有している。
これにより、ボトル２の首部７より導入された原水２６は、浄水器本体１０内の水路１８内に配した濾過フィルター１３で浄化され、浄水として飲水器本体１の突起状部６へ送水される。また、メインケース１７の形状は、ボトル支持台４の形状に適合し、かつ、ボトル２を支持しやすい形状であれば何れの形態でも良い。このメインケース材質には種々の材料を使用することができ、例えば、金属ではステンレス、アルミニウム、銅、真鍮、チタン、合金が挙げられる。さらにプラスチックでは、ＡＢＳ系、セルロース系、ポリオレフィン（ポリエチレン、ポリプロピレン）系、ポリスチレン系、ポリビニルアルコール系、エチレン・ビニルアルコール共重合系、ポリエーテル系、ポリメタクリル酸メチル（ＰＭＭＡ）系、ポリスルフォン系、ポリアクリロニトリル系、ポリ四弗化エチレン系、ポリビニリデンフロライド（ＰＶＤＦ）系、ポリカーボネイト系、ポリエステル系、ポリアミド系、芳香族ポリアミド系、塩ビ系等の各種材料から成るものが使用できる。中でも取扱性や加工特性等を考慮すると、ＡＢＳ樹脂系、ポリスチレン系、ポリオレフィン系、ポリカーボネイト系、ポリスルフォン系が好ましい。【００２１】  濾過フィルター１３の濾材としては、特に指定はないが、微生物及び細菌を含む微粒状体の濾過、除去を目的とした場合、濾過膜が好適であり、残留塩素やカビ臭、トリハロメタンなどの有機化合物、溶解性金属の除去や、硬度の低下には、吸着材が好適である。さらには、濾過膜と吸着材を組み合わせた状態で使用しても良い。【００２２】  図３は、濾過フィルター１３に中空糸膜を用いたものである。
メインケース１７の内部には中空糸膜２０からなる浄化部が設けられている。この中空糸膜２０はこの下部に設けられた樹脂層２１によって、メインケース１７或いは浄水器本体の首部１１に液密に一体固定され、原水受入側と浄水取水側とが液密に遮断されている。【００２３】  メインケース１７の中で濾過フィルター１３部だけを脱着可能にすることもできる。この場合、濾過フィルター交換時には、浄水フィルター装置そのものを交換するのではなく、濾過フィルターのみを交換すればよい。【００２４】  ここで、前記中空糸膜は、以下に示すようなものである。
中空糸膜は、微生物及び細菌を含む０．０１μｍ以上の粒状体の濾過、除去に好適に使用されるものであり、この中空糸膜には種々の多孔質かつ管状の中空糸膜が使用でき、例えば、セルロース系、ポリオレフィン（ポリエチレン、ポリプロピレン）系、ポリビニルアルコール系、エチレン・ビニルアルコール共重合系、ポリエーテル系、ポリメタクリル酸メチル（ＰＭＭＡ）系、ポリスルフォン系、ポリアクリロニトリル系、ポリ四弗化エチレン系、ポリビニリデンフロライド（ＰＶＤＦ）系、ポリカーボネイト系、ポリエステル系、ポリアミド系、芳香族ポリアミド系、等の各種材料から成るものが使用できる。中でも中空糸膜の取扱性や加工特性等を考慮すると、ポリエチレンやポリプロピレン等のポリオレフィン系の中空糸膜が好ましい。【００２５】  また、中空糸膜の外径は、２０〜２０００μｍ、孔径は０．０１〜１μｍ、空孔率は２０〜９０％、中空糸膜の膜厚は５〜３００μｍのものが好ましい。さらに孔径として、ＡＳＴＭ  Ｆ３１６−８０やＪＩＳ  Ｋ３８３２に準ずるバブルポイント測定方法（中空糸膜測定用に一部変更）により測定した値で、１００ｋＰａ以上であることが最も好ましい。【００２６】  また、中空糸膜は表面に親水基を有するもので、いわゆる恒久親水化中空糸膜であることが望ましい。中空糸膜の表面が疎水性であると、供給水の自重水圧では濾過通水が非常に困難となる。
中空糸膜の充填密度は、２０〜７０％とすることにより、浄水フィルター装置１０における通水速度を高めることができ、比較的多量の原水を短時間での浄化処理が可能となる。
なお、中空糸膜の充填密度は、中空糸膜の固定部分における中空糸膜の垂直軸に垂直な方向の断面積をＳ、中空糸膜１本の外径断面積をＡ、中空糸膜の開口本数をＦとしたときに、次式
充填密度σ（％）＝｛（Ａ×Ｆ）／Ｓ｝×１００
から求められる。
中空糸膜の充填密度は、３０〜６０％の範囲がより好ましく、４０〜６０％の範囲がより好ましい。【００２７】  ボトル２内の原水２６を浄水器本体１０内の濾過フィルター１３へ逐次供給出来るようにするためには、ボトル２内へ空気を送り込むことが必要となる。空気がボトル２内に入り込まないと、ボトル２内に原水が停滞し、浄水器本体１０に水が流れこまなくなる。この濾過通水を阻害させると共に、濾過流量を減少させることを防ぐため、疎水性中空糸膜と親水性中空糸膜を混在させた濾過フィルターとし、空気を取り込みながら濾過をさせてもよい。
この時の親水性中空糸膜と疎水性中空糸膜の混在比率は、用途、タンク容量、タンク形状、浄水器本体の形状・形態、中空糸膜の存在形態・位置等の状況に応じ適宜決めることが出来る。親水性中空糸膜１の比率に対し、疎水性中空糸膜を０．０１〜０．８混在させればよい。水濾過流量を優先させる場合は、疎水性中空糸膜を０．０１〜０．５にすることが好ましく、空気取込を優先させる場合は、０．１〜０．８混在させることが好ましい。【００２８】  さらに、本件浄水器本体１０は、ボトル２内の原水２６の自重重力を駆動力として濾過するため、ボトル２内の原水２６の容量が減少してきた場合、自ずと濾過圧力は減少し、濾過時間が長くなる。またボトル２内の容量が大きい場合、ボトル２内への空気取入れが円滑に作動しない場合がある。
これらの問題を解消するために、浄水フィルター装置に手動或いは電動にてポンプ等の装置（図示せず）を配置することにより、エアを強制的にボトル２内に送り込みボトル内の圧力を上昇させて、濾過時間を稼ぐことも出来る。さらには、逆に手動或いは電動にて吸引する装置を配置することにより濾過時間を短縮させることも出来る。【００２９】  図４は、濾過フィルター１３に吸着材を用いたものである。
メインケース１７の内部には吸着材２２からなる浄化部が設けられている。フィルター２３をこの吸着材２２の上流側と下流側にそれぞれ設けることにより、メインケース１７の外部へ吸着材２２が流出することを防止する。
フィルター２３としては、ポリプロピレンやポリエステル等からなる不織布フィルター、金属・セラミック・プラスチック等の粉末を熱および圧力により粉末同士を直接接着した焼結フィルター、メンブレンフィルター、繊維をワインドしたフィルター、プラスチックスを発砲させ比較的緻密な孔径をもたせたフィルター、金属やナイロンからなるメッシュフィルター等、吸着材２２の流出を防げるものであれば何れをも用いる事が出来、又、複数を組み合わせて使用しても良い。
なお、フィルター２３は必ずしも設けなければならないわけではない。特に吸着材に成形材を用いた場合には、フィルター２３を設けなくても良い。【００３０】  フィルター２３の孔径は、細かいと目詰まりがし易やすく、粗いと吸着材が流出してしまうので、孔径０．１μｍ〜０．３ｍｍが好ましい。フィルター２３の開口率は４０％〜９５％が好ましく、５０％〜７８％の範囲がより好ましい
又、フィルター２３の層が厚すぎると流量低下の要因となるので、３０ｍｍ以下が好ましく、より好ましくは１０ｍｍ以下、更に好ましくは５ｍｍ以下、更により好ましくは３ｍｍ以下であり０．１ｍｍ以上であることが好ましい。【００３１】  尚、前記フィルター２３そのものを吸着材２２と一体化した形態とすることもできる。例えば繊維状活性炭やイオン交換繊維等を不織布状にしたものを使用すると、濾材としてより効果的で好ましい。【００３２】  吸着材２２としては、粉末状吸着材、この粉末吸着材を造粒した粒状吸着材、繊維状吸着材などが挙げられる。このような吸着材としては、例えば、天然物系吸着材（天然ゼオライト、銀ゼオライト、酸性白土等）、合成物系吸着材（合成ゼオライト、ヒドロキシアパタイト、モレキュラーシーブ、シリカゲル、シリカアルミナゲル系吸着材、多孔質ガラス、珪酸チタニウム等）等の無機質吸着材、粉末状活性炭、粒状活性炭、繊維状活性炭、ブロック状活性炭、押出成型活性炭、成型活性炭、分子吸着樹脂、合成物系粒状活性炭、イオン交換樹脂、イオン交換繊維、キレート樹脂、キレート繊維、高吸収性樹脂、高吸水性繊維、吸油性樹脂、吸油材などの有機系吸着材等、公知のものが挙げられる。【００３３】  中でも、原水中の残留塩素やカビ臭、トリハロメタンなどの有機化合物の吸着力に優れた活性炭や、溶解性金属の吸着や硬度低下に優れたイオン交換樹脂や、合成物系吸着材が好適に用いられる。
活性炭の中でも被濾過液との接触面積が大きく、吸着性、通水性が高いことから、粒状活性炭や繊維状活性炭が好適に用いられる。
活性炭としては、植物質（木材、セルロース、のこくず、木炭、椰子殻炭、素灰等）、石炭質（泥炭、亜炭、褐炭炭、瀝青炭、無煙炭、タール等）、石油質（石油残査、硫酸スラッジ、オイルカーボン等）、パルプ廃液、合成樹脂などを炭化し、必要に応じてガス賦活（塩化カルシウム、塩化マグネシウム、塩化亜鉛、リン酸、硫酸、カセイソーダ、ＫＯＨ等）したものなどが挙げられる。繊維状活性炭としては、ポリアクリロニトリル（ＰＡＮ）、セルロース、フェノール、石炭系ピッチを原料にしたプレカーサを炭化し、賦活したものなどが挙げられる。【００３４】  活性炭の形態としては、粉末状活性炭、この粉末状活性炭を造粒した粒状活性炭、粒状活性炭、繊維状活性炭、粉末及び／又は粒状活性炭をバインダーにて固めた成型活性炭などが使用できる。中でも、取扱性、コスト面から粒状活性炭が好適に用いられる。活性炭としては、充填密度０．１〜０．７ｇ／ｍｌ、ヨウ素吸着量８００〜４０００ｍｇ／ｇ、粒度０．０７５〜６．３ｍｍの性状を持つものが好ましい。
さらには、吸着材が、抗菌機能を有する吸着材を含むとより衛生的であるため好ましい。抗菌機能を有する吸着材としては、例えば、活性炭に銀を付着及び／又は混合したものが挙げられる。【００３５】  また、除去対象とする有機物によっては、マイクロポア、トランジショナル、マクロポアの各々の活性炭細孔孔径の比率を調整し、それぞれの除去能力を最大限に発揮するポアサイズに調整した活性炭を使用することが好ましい。ポアサイズを調整した活性炭は単独で使用しても、通常の活性炭とブレンドさせて使用してもよい。【００３６】  例えば、トリハロメタンを除去対象とする場合には、マクロポアの比率が低くマイクロポアの比率が高い活性炭を使用することが好ましい。
活性炭は、単独で用いてもよいし、前述の吸着材と併用することもできる。例えば、鉛等を除去する吸着材として、珪酸チタニウム、ヒドロキシアパタイト、ゼライト、モレキュラーシーブ、キレート樹脂などを別の層として充填するか、あるいは混合して充填したり、バインダーにて活性炭に添着させたりして使用することもできる。
また、高度の高い水を軟水化する場合、陽イオン交換樹脂が好適に用いられる。あるいは、硝酸性窒素、亜硝酸性窒素等を除去するために、陰イオン交換樹脂を使用することもできる。【００３７】  図５は、濾過フィルター１３に、前記吸着材と前記中空糸膜の双方を設けたものである。
これにより、微生物及び細菌を含む微粒状体の濾過、除去と、残留塩素やカビ臭、トリハロメタンなどの有機化合物や、溶解性金属の除去と、硬度の低下を行えるため、浄水器としては、より好適である。
この場合、吸着材、中空糸膜のどちらを上流側に配しても良いが、吸着材部分における雑菌等の繁殖を考慮すると、図５のように、吸着材を上流側（ボトル側）に、中空糸膜を下流側（飲水器側）に配するのがより好ましい。【００３８】  したがって、上述した第一の実施の形態によれば、飲水器１本体とボトル２の接続部分に、浄水器本体１０を着脱自在に接続可能としたことで、従来の飲水器に容易に浄水機能を付加することができるため、衛生的で安全な飲用水を容易かつ安価に、しかも十分な容量を得ることが可能となる。【００３９】  図６〜図９に示すのはこの発明の第二の実施の形態であり、この第二の実施の形態は、上述した第一の実施の形態が、飲水器本体１の凹部５とボトル２の首部７に着脱可能な別体形状であるのに対し、内部に濾過フィルターを有し、ボトル２の首部７に挿入可能な突起状の浄水器本体２４を、飲水器１の凹部５の底部に配し、突起状部６の代わりに、着脱自在に配したものである。【００４０】  突起状の浄水器本体２４は、飲水器１の凹部５にボトル２の首部７が挿入される際、ボトル２の嵌合孔８に挿入され、ボトル水導入孔２５よりボトル２内部のボトル水を、飲水器突起状浄水器２４本体内部に導入する。
飲水器突起状浄水器２４には、１以上の原水導入孔２５が周囲に配置され、この孔を通して原水は、濾過フィルター１３により濾過される。
第一の実施形態のように、突起状の浄水器本体２４の内部に濾過フィルター１３を任意に配置することが出来る。図６に示した部分に濾過フィルター１３を配置する。具体的には、中空糸膜２０のみを配置した場合を図７に、上下のフィルター２３の間に吸着材２２を装填した場合を図８に、フィルター２３と吸着材２２と中空糸膜２０とを組合せた事例を図９に示した。原水が突起状の浄水器本体２４内部を通過する際、この濾過フィルター１３を通過して原水は濾過され、衛生的で安全な飲用水を容易に得ることが可能となる。
しかも、第一の実施の形態と比較して、飲水器本体１の凹部５の底部に配された突起状部６を突起状の浄水器本体２４に置き換えるだけで済むため、より容易にかつ安価に飲水器本体１へ浄水機能を付加することが可能となる。
さらには、浄水器本体１０と突起状の浄水器本体２４を組合せた形態で使用してもよい。浄水器本体１０に採用する濾材と突起状の浄水器本体２４に採用する濾材を目的に応じて組合すことにより、より消費者の好みに応じた安全な水を得ることが出来る。【００４１】  図７は濾過フィルターとして、中空糸膜を使用したものである。
図８は濾過フィルターとして、吸着材を使用したものである。
図９は濾過フィルターとして、中空糸膜と吸着材を使用したものである。
尚、濾過フィルターの構成については前述の第一の実施の形態と同様であるため、同一部分に同一符号を付して説明を省略する。【００４２】  図１０〜図１１に示すのはこの発明の第三の実施の形態であり、この第三の実施の形態は、上述した第一の実施の形態が、ボトル支持台４を有する飲水器本体１の凹部５とボトル２の首部７に着脱可能な別体形状であるのに対し、内部に濾過フィルターを有し、ボトル２の首部７に挿入可能な浄水器本体２８を、飲水器１の上部に配し、飲水器１と着脱自在に配したものである。【００４３】  浄水器本体２５は、浄水器本体２８の凹部５にボトル２の首部７が挿入される際、ボトル２の嵌合孔８に挿入され、ボトル水導入孔１９よりボトル２内部のボトル水を、浄水器本体２８に導入する。
本実施形態においても第一の実施形態のように、浄水器本体２８の内部に濾過フィルター１３を任意に配置することが出来る。具体的には、突起状の下部に濾過フィルター１３を配置した場合を図１０に、突起状部に濾過フィルターを配置した場合を図１１に示した。原水が浄水器本体２８内部を通過する際、この濾過フィルター１３を通過して原水は濾過され、衛生的で安全な飲用水を容易に得ることが可能となる。【００４４】  したがって、上述した第一から第三の実施の形態によれば、通常市販されているボトルの原水を、家庭内で容易に浄水にすることが可能であるため、衛生的かつ安全な飲用水を、必要十分に手軽に得ることが可能となるのである。
【産業上の利用可能性】
【００４５】  本願発明によれば、従来の飲水器に容易に浄水機能を付加することができるため、衛生的で安全な飲用水を、多量にかつ容易に得ることができる。
また、着脱自在に接続可能としたことで、簡単に交換を行うことが可能である。
また、中空糸膜を使用することにより細菌や微粒子をカットでき、より衛生的な飲用水を得ることができ、さらに、空気取り込みのために疎水性中空糸を混在させることにより、自重濾過でも中空糸膜の圧損による流量低下を押さえることができ、短時間で十分な濾過量を確保することができる。
【図１】
0004838714.tif 000002
【図２】
0004838714.tif 000003
【図３】
0004838714.tif 000004
【図４】
0004838714.tif 000005
【図５】
0004838714.tif 000006
【図６】
0004838714.tif 000007
【図７】
0004838714.tif 000008
【図８】
0004838714.tif 000009
【図９】
0004838714.tif 000010
【図１０】
0004838714.tif 000011
【図１１】
0004838714.tif 000012